(57)【要約】【課題】  片閉まり状態の発生を防止しつつ、開閉ドアを閉める際のユーザビリティを良好にする。【解決手段】  装置本体に対して回動し、装置本体内を開放可能な開閉ドアを有し、開閉ドアは、装置本体の第１係合部、第２係合部にそれぞれ係合する第１被係合部、第２被係合部を備え、開閉ドアを閉じる際に、開閉ドアを閉じる方向と反対方向に付勢する付勢手段を有し、開閉ドアの第１被係合部側が付勢手段から受ける開閉ドアを閉じる方向と反対方向に付勢する付勢力は、第２被係合部側が付勢手段から受ける付勢力よりも大きく、開閉ドアを開いた状態から、開閉ドアを閉じることにより、第１被係合部、第２被係合部をそれぞれ第１係合部、第２係合部に係合させる間に、第１被係合部が第１係合部に係合するまでに移動する距離の方が、第２被係合部が第２係合部に係合するまでに移動する距離より短いことを特徴とする。【選択図】  図１
2013242535.tif 000002
【特許請求の範囲】
【請求項１】
装置本体に対して回動し、装置本体内を開放可能な開閉ドアを有し、
前記開閉ドアは、装置本体の第１係合部、第２係合部にそれぞれ係合する第１被係合部、第２被係合部を備え、
前記第１被係合部と前記第２被係合部が前記開閉ドアの回動軸方向に並んで配置され、前記第１係合部と前記第１被係合部が係合し、且つ、前記第２係合部と前記第２被係合部が係合することで、前記開閉ドアが閉じた状態で保持される画像形成装置において、
前記開閉ドアを閉じる際に、前記開閉ドアを閉じる方向と反対方向に付勢する付勢手段を有し、前記開閉ドアの前記第１被係合部側が前記付勢手段から受ける付勢力は、前記第２被係合部側が前記付勢手段から受ける前記付勢力よりも大きく、
前記開閉ドアを開いた状態から、前記開閉ドアを閉じることにより、前記第１被係合部、前記第２被係合部をそれぞれ前記第１係合部、前記第２係合部に係合させる間に、前記第１被係合部が前記第１係合部に係合するまでに移動する距離の方が、前記第２被係合部が前記第２係合部に係合するまでに移動する距離より短いことを特徴とする画像形成装置。
【請求項２】
前記開閉ドアを開いた状態において、前記開閉ドアを閉じる際の前記開閉ドアの移動方向に関して、前記第１被係合部の方が前記第２被係合部よりも下流側に位置することを特徴とする請求項１に記載の画像形成装置。
【請求項３】
前記開閉ドアを開いた状態と閉じた状態とでは、前記第１被係合部と前記第２被係合部との相対位置関係が異なることを特徴とする請求項１又は２に記載の画像形成装置。
【請求項４】
前記開閉ドアを開いた状態と閉じた状態とでは、前記開閉ドアの外装面に平行で且つ前記回動軸に直交する方向で見た時に、前記開閉ドアの外装面の角度が異なることを特徴とする請求項１乃至３のいずれか一項に記載の画像形成装置。
【請求項５】
前記開閉ドアは、第１部材と、前記第１部材を前記回動軸に直交する軸回りにねじった状態で保持する第２部材と、を備えること特徴とする請求項１乃至４のいずれか一項に記載の画像形成装置。
【請求項６】
前記第１被係合部及び前記第２被係合部は、前記第１部材に設けられていることを特徴とする請求項５に記載の画像形成装置。
【請求項７】
前記第１係合部及び前記第２係合部の配列方向は前記回動軸方向に平行な方向であることを特徴とする請求項１乃至６のいずれか一項に記載の画像形成装置。
【請求項８】
前記付勢手段は、前記開閉ドアが装置本体に対して閉じられる際に、前記開閉ドアに押圧される被押圧部を備え、前記開閉ドアの前記第１被係合部側で前記被押圧部を押圧することを特徴とする請求項１乃至７のいずれか一項に記載の画像形成装置。
【請求項９】
感光体にレーザ光を照射するレーザ光照射手段と、前記レーザ光照射手段から出射されたレーザ光を遮蔽可能なレーザシャッタと、を有し、前記被押圧部を押圧することにより、前記レーザシャッタを移動させ、レーザ光照射手段による前記感光体へのレーザ光の照射を可能とすることを特徴とする請求項８に記載の画像形成装置。
【請求項１０】
記録材にトナー像を定着される定着手段と、前記定着手段を覆う位置に移動可能な定着シャッタと、を有し、前記被押圧部を押圧することにより、前記定着シャッタを、前記定着手段を覆う位置に移動させることを特徴とする請求項８に記載の画像形成装置。
【発明の詳細な説明】
【技術分野】
【０００１】
本発明は、装置本体に対して開いて装置本体内を開放する開閉部材を有する画像形成装置に関するものである。
【背景技術】
【０００２】
従来、電子写真方式を採用する複写機、プリンタ等の画像形成装置には、カートリッジ交換等のメンテナンスやジャム処理を行えるよう、装置本体に対して回動して開閉可能で、装置本体内を開放する開閉ドア（開閉部材）が設けられている。
【０００３】
図１５は、このような開閉ドア９０４を有する従来の画像形成装置９０１の斜視図である。図１６（ａ）は、上面側から見た開閉ドア９０４の、及び、開閉ドア９０４付近の装置本体９０１の一部を示す断面図であり、開閉ドア９０４を閉じた状態を示す。開閉ドア９０４は回動軸９０４ｒを軸として図中矢印の方向に回動して開く。ここで、一般的に、開閉ドア９０４の開閉に連動して装置本体９０１内の不図示のレーザシャッタを開閉したり不図示のインターロックへの通電をＯＮ／ＯＦＦしたりする為、開閉ドア９０４を閉じた状態で、開閉ドア９０４が装置本体９０１内の部材９０７を押圧する構成となっている。このため、開閉ドア９０４は、開閉ドア９０４を閉じた状態で装置本体９０１内の部材から反力Ｆｓを受ける構成となっている。このため、開閉ドア９０４を装置本体９０１に対して閉じた状態で維持する為、図１６（ａ）に示すように、開閉ドア９０４の回動軸９０４ｒ方向の両端部に装置本体９０１の係合部９０６ａ、９０６ｂに係合する被係合部９０５ａ、９０５ｂが設けられている。
【０００４】
このよう構成では、例えばユーザが開閉ドア９０４の図右側を持って力Ｆｕで開閉ドア９０４を移動させて開閉ドア９０４を閉めた場合、以下のような現象が発生する虞がある。つまり図１６（ｂ）に示すように、開閉ドア９０４の図右側では、係合部９０６ａが被係合部９０５ａを係合するものの、開閉ドア９０４の図中左側では反力Ｆｓによって係合部９０６ａに被係合部９０５ａが係合できない状態となる。この状態では開閉ドア９０４は初期状態に対して角度θ撓んだ状態となっている。この状態は所謂「片閉まり」と呼ばれる状態であり、この状態では、装置が正常に動作できない場合がある。
【０００５】
特に、上述した反力Ｆｓを開閉ドア９０４に付与する部材９０７は開閉ドア９０４の端部に配置されることが多いため、開閉ドア９０４の部材９０７が配置されていない側をユーザが押して操作する場合に片閉まりが発生しやすい。
【０００６】
そこで、特許文献１では、片閉まり状態になった場合に、検知手段によって片閉まり状態を検知し、片閉まり状態が生じた際は画像形成動作を開始しないようにする構成が提案されている。
【０００７】
しかしながら、特許文献１の構成では片閉まり状態を検知する検知手段を設ける必要があるのでコストアップや、装置が大型化する虞がある。また、開閉ドアの剛性を高めることによって片閉まりを防ぐことも考えられるが、コストや小型化の観点から開閉ドアの剛性を高めるのにも限度がある。
【０００８】
そこで、特許文献２では、片閉まり状態にならないよう、開閉ドアを指定された位置で閉めないと、開閉ドア自体が閉まらない構成が提案されている。
【先行技術文献】
【特許文献】
【０００９】
【特許文献１】特開２００６−５３１９３
【特許文献２】特開２００９−２７１４０８
【発明の概要】
【発明が解決しようとする課題】
【００１０】
しかしながら、特許文献２の構成では、開閉ドアを指定された位置で閉めないと、開閉ドア自体が閉まらないので、ユーザが開閉ドアを閉める為に複数回開閉ドアを閉じる操作を行わねばならない場合があり、ユーザビリティの改善の余地がある。
【００１１】
そこで、本発明は上記課題に鑑みて、片閉まり状態の発生を防止しつつ、開閉ドアを閉める際のユーザビリティを良好にすることを目的とする。
【課題を解決するための手段】
【００１２】
そこで本発明は、
装置本体に対して回動し、装置本体内を開放可能な開閉ドアを有し、前記開閉ドアは、装置本体の第１係合部、第２係合部にそれぞれ係合する第１被係合部、第２被係合部を備え、
前記第１被係合部と前記第２被係合部が前記開閉ドアの回動軸方向に並んで配置され、前記第１係合部と前記第１被係合部が係合し、且つ、前記第２係合部と前記第２被係合部が係合することで、前記開閉ドアが閉じた状態で保持される画像形成装置において、
前記開閉ドアを閉じる際に、前記開閉ドアを閉じる方向と反対方向に付勢する付勢手段を有し、前記開閉ドアの前記第１被係合部側が前記付勢手段から受ける付勢力は、前記第２被係合部側が前記付勢手段から受ける前記付勢力よりも大きく、前記開閉ドアを開いた状態から、前記開閉ドアを閉じることにより、前記第１被係合部、前記第２被係合部をそれぞれ前記第１係合部、前記第２係合部に係合させる間に、前記第１被係合部が前記第１係合部に係合するまでに移動する距離の方が、前記第２被係合部が前記第２係合部に係合するまでに移動する距離より短いことを特徴とする。
【発明の効果】
【００１３】
本発明によれば、片閉まり状態の発生を防止しつつ、開閉ドアを閉める際のユーザビリティを良好にすることができる。
【図面の簡単な説明】
【００１４】
【図１】（ａ）開閉ドアを装置本体に対して閉じた状態の画像形成装置の斜視図。（ｂ）開閉ドアを装置本体に対して開いた状態の画像形成装置の斜視図。
【図２】（ａ）前カバー部の斜視図。（ｂ）上カバー部と前カバー部を組み合わせる前の状態を示す斜視図。
【図３】（ａ）前カバー部の上面図。（ｂ）前カバー部の上面図。
【図４】上カバー部の上面図。
【図５】（ａ）前カバー部の上面側から見た、開閉ドアの前カバー部及び開閉ドア付近の装置本体の一部を示す断面図。（ｂ）前カバー部の上面側から見た、開閉ドアの前カバー部及び開閉ドア付近の装置本体の一部を示す断面図。（ｃ）前カバー部の上面側から見た、開閉ドアの前カバー部及び開閉ドア付近の装置本体の一部を示す断面図。
【図６】前カバー部の上面側から見た、開閉ドアの前カバー部及び開閉ドア付近の装置本体の一部を示す断面図。
【図７】（ａ）前カバー部の上面側から見た、開閉ドアの前カバー部及び開閉ドア付近の装置本体の一部を示す断面図。（ｂ）前カバー部の上面側から見た、開閉ドアの前カバー部及び開閉ドア付近の装置本体の一部を示す断面図。（ｃ）前カバー部の上面側から見た、開閉ドアの前カバー部及び開閉ドア付近の装置本体の一部を示す断面図。
【図８】（ａ）前カバー部の上面側から見た、開閉ドアの前カバー部及び開閉ドア付近の装置本体の一部を示す断面図。（ｂ）前カバー部の上面側から見た、開閉ドアの前カバー部及び開閉ドア付近の装置本体の一部を示す断面図。（ｃ）前カバー部の上面側から見た、開閉ドアの前カバー部及び開閉ドア付近の装置本体の一部を示す断面図。
【図９】前カバー部の上面側から見た、開閉ドアの前カバー部及び開閉ドア付近の装置本体の一部を示す断面図。
【図１０】（ａ）前カバー部の上面側から見た、開閉ドアの前カバー部及び開閉ドア付近の装置本体の一部を示す断面図。（ｂ）前カバー部の上面側から見た、開閉ドアの前カバー部及び開閉ドア付近の装置本体の一部を示す断面図。
【図１１】前カバー部の斜視図。
【図１２】（ａ）上カバー部と前カバー部を組み合わせる前の状態を示す斜視図。（ｂ）上カバー部と前カバー部を組み合わせる前の状態を示す斜視図。
【図１３】（ａ）前カバー部の上面図。（ｂ）前カバー部の上面図。
【図１４】上カバー部の上面図。
【図１５】従来の画像形成装置の斜視図。
【図１６】（ａ）開閉ドアの上面側から見た、従来の開閉ドア及び開閉ドア付近の装置本体の一部を示す断面図。（ｂ）開閉ドアの上面側から見た、従来の開閉ドア及び開閉ドア付近の装置本体の一部を示す断面図。
【図１７】画像形成装置の概略断面図。
【発明を実施するための形態】
【００１５】
＜第１実施形態＞
まず本発明を適用した画像形成装置の全体構成について説明する。
【００１６】
［画像形成装置］
始めに図１を用いて、装置の外装構成について説明する。図１は画像形成装置の斜視図であり、（ａ）は開閉ドアＤを装置本体に対して閉じた状態を示し、（ｂ）は開閉ドアＤを装置本体に対して開いた状態を示している。画像形成装置１０１は開閉ドアＤが配置された側が正面であり、正面を基準として右側の面を右側面、左側の面を左側面、正面と対向する側の面を背面である。なお、以降の説明では、左右は、正面を基準として（正面に向かって）見た場合について説明する。
【００１７】
装置本体１０１の下部にはシート材を積載する給送トレイ１０２が設けられ、装置本体上部にはシート材が排出される排出トレイ１０３が設けられている。装置本体１０１の正面には、消耗品の交換や紙詰まりの処理等を行うための開閉ドア（開閉部材）Ｄは、前カバー部（第１部材）１１１と上カバー部（第２部材）１１０とが一体となった部材である。上カバー部１１０には、装置本体１０１と開閉ドアＤとの係合を解除する為のボタン１１０ｈが設けられている。前カバー部１１１には開閉ドアＤの回動軸としての回動軸１１１ｒが設けられている。開閉ドアＤを開く際は、ユーザがボタン１１０ｈを押して装置本体１０１と開閉ドアＤとの係合を解除し、把持部１１１ｈを手前に引くことで、回動軸１１１ｒを回転中心として、正面側（図中矢印方向）に開くことが可能である。
【００１８】
図１（ｂ）は開閉ドアＤを装置本体１０１に対し開いた状態を示す斜視図である。ただし、図１（ｂ）では開閉ドアＤが完全に開いた状態ではなく、途中まで開いた状態を示している。前カバー部１１１の内側面の左右両端部には被係合部（第１被係合部、第２被係合部）１０５ａ、１０５ｂが設けられている。後に詳述するが、装置本体１０１には開閉ドアＤを閉じる際には、前カバー部１１１の被係合部１０５ａ、１０５ｂが装置本体１０１の不図示の係合部（第１係合部、第２係合部）１０６ａ、１０６ｂに係合させる。これにより、開閉ドアＤを装置本体１０１に対して閉じた状態で保持することができる。本発明においては、被係合部１０５ａ、１０５ｂがそれぞれ装置本体１０１の不図示の係合部１０６ａ、１０６ｂに係合した状態を開閉ドアＤが閉じた状態と定義し、それ以外の状態を開閉ドアＤが開いた状態と定義する。また、開閉ドアＤの開閉に連動して、後述するレーザスキャナ４２に設けられた不図示のレーザシャッタを開閉したり、不図示のインターロックへの通電をＯＮ／ＯＦＦしたりする構成となっている。
【００１９】
次に装置の内部構成について説明する。図１７は画像形成装置１０１の概略断面図である。画像形成装置１０１の内部は、大きく分けて、トナー像をシートＳに転写する画像形成部１０００と、画像形成部１０００へシートＳを供給する給送トレイ１０２と、シートＳにトナー像を定着させる定着器３５を備えている。
【００２０】
画像形成部１０００は、装置本体１０１に対して着脱可能なカートリッジ２００、転写ローラ２６、レーザスキャナ（光照射手段）４２を備えている。カートリッジ２００は、感光ドラム２７、帯電手段２９、現像手段３０を備える。
【００２１】
次に画像形成動作について説明する。不図示の制御部がプリント信号を発すると、給紙ローラ２３が給紙時のみ反時計回りに回転し、給紙カセット２１に積載されたシートＳは画像形成部１０００に送り出される。
【００２２】
一方、感光ドラム２７は帯電器２９によって表面を帯電させられる。そして、レーザスキャナ（レーザ光照射手段）４２が、内部に備える不図示の光源からレーザ光Ｌを出射し、レーザ光Ｌを感光体ドラム上に照射する。これにより感光体ドラム２７の表面上に潜像が形成される。この潜像を現像器３０によって現像することにより、感光ドラム２７上にトナー像が形成される。感光ドラム２７上に形成されたトナー像は、搬送ローラ２４，２５によって感光体ドラム２７と転写ローラ２６との間に形成された転写ニップ部に送り込まれたシートＳに転写される。
【００２３】
トナー像が転写されたシートＳは、定着器３５に送られ、定着器３５の加熱ローラ３３と加圧ローラ３４とで形成された定着ニップ部で、加熱及び加圧され、シートＳ上のトナー像がシートに定着される。定着器３５を通過したシートＳは排紙ローラ３８、３９によって搬送され、排紙トレイ４１上へ排出される。
【００２４】
開閉ドアＤを回動軸１１１ｒ回りに回転させて開くことで、装置本体内を開放し、カートリッジ２００等の着脱部品の着脱や、ジャム処理等を行うことができる。
【００２５】
［開閉ドアＤの形状］
本発明の特徴的構成である、開閉ドアＤの形状について説明する。図１（ｂ）に示すように開閉ドアＤは、被係合部１０５ａ、ｂが係合部１０６ａ、ｂに係合していない状態では、前カバー部１１１がねじれた状態で装置本体１０１に回動軸１１１ｒが軸支されている。前カバー部１１１のねじれ方は、前カバー部１１１の回動軸１１１ｒ方向中央を通り、回動軸１１１ｒに直交する仮想軸Ｚを考えた時に、仮想軸Ｚが回動軸１１１ｒと交わる位置から、回動軸１１１ｒから離れるに従って、回動軸１１１ｒを基準とした仮想軸Ｚ回りの回転角が大きくなるようなねじれ方である。
【００２６】
つまり開閉ドアＤを開いた状態においては、前カバー部１１１は上述したねじれ方になっているので、開閉ドアＤの左側の部分と装置本体１０１との距離Ｌａと、開閉ドアＤの右側と装置本体の距離Ｌｂの関係は、Ｌａ＜Ｌｂとなっている。開閉ドアＤを閉じた状態では、前カバー部１１１のねじれは、被係合部１０５ａ、１０５ｂが装置本体１０１に係合することにより、ほぼねじれていない状態に戻るのでＬａ≒Ｌｂとなる。なお、開閉ドアＤの左側、右側は、開閉ドアＤの回動軸１１１ｒ方向の中央の位置を基準に決まる。
【００２７】
［開閉ドアＤの組立方法］
次に図２〜４を用いて、前カバー部１１１がねじれた状態の開閉ドアＤを組み立てる方法について説明する。図２（ａ）は前カバー部１１１の斜視図である。図２（ｂ）は上カバー部１１０と前カバー部１１１を組み合わせる前の状態を示す斜視図である。前カバー部１１１のボス１１１ａ、１１１ｂ、１１１ｃを上カバー部１１０の穴１１０ａ、１１０ｂ、１１０ｃに嵌合させることにより、上カバー部１１０と前カバー部１１１を組み合わせる構成となっている。本発明では、上カバー部１１０と前カバー部１１１を組み合わせる前に、前カバー部１１１の左右の部分を図２（ａ）の矢印Ｎ方向に押すことによって前カバー部１１１をねじる。そして、このねじれた状態で上カバー部１１０を組み付けることで、ボス１１１ａ、１１１ｂ、１１１ｃと穴１１０ａ、１１０ｂ、１１０ｃとの嵌合により、前カバー部１１１がねじれた状態で維持される。これは、開閉ドアＤを開いた状態では、矢印Ｎ方向のねじれに対して、前カバー部１１１よりも上カバー部１１０の方が剛性が強くなるよう、前カバー部１１１と上カバー１１０とを構成しているからである。
【００２８】
さらに詳しく説明する。図３は前カバー部１１１の上面図であり、（ａ）はねじれる前の状態、（ｂ）はねじれた状態を示す。図４は上カバー部１１０の上面図である。なお、図３（ｂ）では簡単の為、ねじれた状態を強調して描いている。ねじれることによって前カバー部１１１は上面が変形することになる。つまり、ねじれる前の上面が回動軸１１１ｒと平行な仮想線１１３に平行な長方形だとすると、ねじれた状態では仮想線１１３に対して角度ｇ傾いた平行四辺形のような形状になる。このため、ボス１１１ａ、１１１ｂ、１１１ｃの相対位置関係は、ねじれる前の状態と、ねじれた状態とでは異なる。そして、上カバー部１１０の穴１１０ａ、１１０ｂ、１１０ｃの相対位置関係は、ねじれた状態の前カバー部１１１のボス１１１ａ、１１１ｂ、１１１ｃの相対位置関係を一致する構成となっている。このため、ねじれた状態の前カバー部１１１のボス１１１ａ、１１１ｂ、１１１ｃに、上カバー部１１０の穴１１０ａ、１１０ｂ、１１０ｃが嵌合し、前カバー部１１１のねじれた状態が維持されることになる。なお、仮想線１１３に対して上カバー部１１０は角度ｇ斜めに傾けた状態で、穴１１０ａ、１１０ｂ、１１０ｃがボス１１１ａ、１１１ｂ、１１１ｃに嵌合するようになっている。以上説明した構成によって、前カバー部１１１をねじれた状態で開閉ドアＤを組むことができる。
【００２９】
［片閉まりを防ぐ作用］
次に、前カバー１１１がねじれた状態で組んだ開閉ドアＤ用いた構成における、片閉まりを防ぐ作用について説明する。
【００３０】
図５（ａ）〜（ｃ）、図６、図７（ａ）〜（ｃ）は、前カバー部１１１の上面側から見た開閉ドアＤの前カバー部１１１、及び、開閉ドアＤ付近の装置本体１０１の一部を示す断面図である。
【００３１】
図５（ａ）は、開閉ドアＤが所定の開き角で開いて止まっている状態を示している。つまり、前カバー部１１１の被係合部１０５ａ、１０５ｂが、装置本体１０１の係合部１０６ａ、１０６ｂに係合していない状態を示している。そして、前カバー部１１１の被係合部１０５ａ、１０５ｂが、装置本体１０１の係合部１０６ａ、１０６ｂに係合することなく、開閉ドアＤが所定の開き角で開いて止まっている状態を初期状態として定義する。上述したように、前カバー部１１１は、回動軸１１１ｒと平行な仮想線１１３に対して、角度ｇだけ傾くようにねじれている。このため、前カバー部１１１の被係合部１０５ａが係合部１０６ａを乗り越えて係合部１０６ａに係合するまで移動する距離Ｓａと、前カバー部１１１の被係合部１０５ｂが係合部１０６ｂを乗り越えて係合部１０６ｂに係合するまで移動する距離Ｓｂの関係は、Ｓａ＜Ｓｂとなっている。なお、被係合部１０５ａ、１０５ｂは係合部１０６ａ、１０６ｂを乗り越えて係合した後、さらにガタ分の距離Ｐａ、Ｐｂ（Ｐａ＝Ｐｂ）だけ更に装置本体１０１側に移動可能になっている。このガタ分の距離Ｐａ、Ｐｂは、被係合部１０５ａ、１０５ｂと係合部１０６ａ、１０６ｂとの位置関係の公差や、その他、開閉ドアＤと装置本体１０１との位置関係の公差を考慮して所定距離設けられている。本実施形態では、被係合部１０５ａ、１０５ｂと係合部１０６ａ、１０６ｂとが係合した後も、係合部１０６ａ、１０６ｂに設けられた突当部１０７ａ、１０７ｂに前カバー部１１１が突き当たるまで、前カバー部１１１が更に移動可能である。この更に移動する距離によって距離Ｐａ、Ｐｂが決まる構成となっている。
【００３２】
また、係合部１０６ａ、１０６ｂは不図示のバネによって付勢されており、被係合部１０５ａ、１０５ｂが係合部１０６ａ、１０６ｂに乗り上げて係合させる際に、前カバー部１１１に反力（後述するＦａ、Ｆｂ）が作用する構成となっている。
【００３３】
装置本体１０１内には、レーザスキャナ４２の発するレーザ光を遮蔽可能なレーザシャッタ４３（図１７参照）を開閉じたり、不図示のインターロックスイッチへの通電をＯＮ／ＯＦＦしたりする為の被押圧部材１２０（図５（ａ）参照）が設けられている。この被押圧部材１２０はバネである弾性部材１２１によって、開閉ドアＤに突き当たる方向に付勢されている。そして、開閉ドアＤを閉じる際に所定の開き角以下になると、開閉ドアＤの左側の部分が被押圧部材１２０に当接し、押圧する構成となっている。この為、開閉ドアＤを閉じる際及び閉じた状態で前カバー部１１１の左側の部分には被押圧部材１２０からの反力Ｆｓ（図５（ｂ）参照）が作用する構成となっている。これら被押圧部材１２０と弾性部材１２１は、開閉ドアＤを閉じる際に、開閉ドアＤに付勢力（反力Ｆｓ）を付与する付勢手段である。このように、開閉ドアＤを閉じるまでに装置本体１０１側から開閉ドアＤにかかる反力（付勢手段が開閉ドアＤを閉じる方向と反対方向に付勢する付勢力）は、開閉ドアＤの左側の方が右側よりも大きい構成となっている。なお、開閉ドアＤを閉じると、開閉ドアＤが、弾性部材１２１の付勢力に抗して被押圧部材１２０を押圧し、所定の位置まで移動させることにより、レーザシャッタ４３が開いて感光ドラム２７へのレーザ光の照射が可能となり、インターロックスイッチへの通電がＯＮになり、画像形成動作が可能となる。なお、被押圧部材１２０によって作動させるものとしては、レーザシャッタ４３やインターロックスイッチに限定されない。例えば、開閉ドアＤを閉じる際、被押圧部材１２０を所定の位置まで押圧することにより、定着器３５（図１７）にユーザが触れることを防ぐために定着器３５を覆う定着シャッタ３６（図１７参照）を閉じた状態から開く構成でもよい。また、被押圧部材１２０を所定の位置まで押圧することにより、定着ニップを圧解除状態から加圧状態にする構成としてもよい。
【００３４】
次に、ユーザが前カバー部１１１の左側だけを押して開閉ドアＤを閉じようとした場合について説明する。図５（ｂ）、（ｃ）はユーザが開閉ドアＤの前カバー部１１１の左側を押圧した場合を示している。
【００３５】
ユーザが前カバー部１１１の左側をＦｕの力で押圧すると、図５（ｂ）に示すように、まず、被係合部１０５ａは、反力Ｆｓに打ち勝って係合部１０６ａを乗り越え、係合部１０６ａに係合する。この時点では、被係合部１０５ｂは、係合部１０６ｂより反力Ｆｂを受けることで係合部１０６ｂに係合していない。この状態から更に、前カバー部１１１を押し込むことで、前カバー部１１１が初期のねじれた状態を示す線１１４からの撓み角度θが増えていき、初期状態からの撓み角度θ＝θ１となる。この状態で、ユーザの押圧力Ｆｕのうち前カバー部１１１の左側から前カバー部１１１を介して前カバー部１１１の右側へ伝わる力Ｆｔｂが反力Ｆｂと同等となる。このため、前カバー部１１１を更に突当部１０７ａに突き当たるまで押し込むことで、図５（ｃ）に示すように被係合部１０５ｂは、係合部１０６ｂを乗り越え、係合部１０６ｂに係合する。
【００３６】
ユーザが開閉ドアＤを押すのをやめると、図６に示すように、開閉ドアＤは、反力Ｆｓや自重等の作用によって被係合部１０５ａ、１０５ｂが係合部１０６ａ、１０６ｂに当接する位置まで戻り、開閉ドアＤが閉じた状態で保持される。この時、前カバー部１１１は、反力Ｆｓ等の作用によって被係合部１０５ａ、１０５ｂが係合部１０６ａ、１０６ｂに押し付けられて係止されるので、初期のねじれが略直った状態となっている。
【００３７】
なお、図５（ｃ）に示した状態では、係合部１０６ｂは被係合部１０５ｂを乗り越えてさらに装置背面側へガタ分侵入した状態となっているが、この状態も、被係合部１０６ｂと係合部１０５ｂとが係合した状態とみなす。これは、既に被係合部１０６ｂは係合部１０５ｂを乗り越えているので、上述したようにユーザが開閉ドアＤを押すのをやめれば、被係合部１０６ｂと係合部１０５ｂとが当接して係止される状態になるからである。
【００３８】
次に、ユーザが前カバー部１１１の右側だけを押して開閉ドアＤを閉じようとした場合について説明する。図７（ａ）〜（ｃ）はユーザが開閉ドアＤの前カバー部１１１の右側を押圧した場合を示している。
【００３９】
ユーザが前カバー部の右側をＦｕの力で押圧すると、図７（ａ）に示すように、まず左側の被係合部１０５ａが係合部１０６ａに当接する。これは、前カバー部１１１が仮想線１１３に対して角度ｇ分ねじれているからである。この状態では、前カバー部１１１は初期のねじれた状態からのねじれ角θ＝０である。このため、ユーザの押圧力Ｆｕのうち前カバー部１１１の右側から前カバー部１１１を介して前カバー部１１１の左側へ伝わる力Ｆｔａは反力Ｆｓと反力Ｆｂの合力を上回ることができない。このため被係合部１０５ａは係合部１０６ａを乗り上げて係合することができない。
【００４０】
更に、前カバー部１１１の左側をユーザが押すと、被係合部１０５ｂは、係合部１０６ｂに乗り上げて係合部１０６ｂに係合する。また、前カバー部１１１の左側をユーザが押すに従って前カバー部１１１は初期のねじれた状態からの撓み角度θは大きくなっていく。これに伴いユーザの押圧力Ｆｕのうち前カバー部１１１の右側から前カバー部１１１を介して前カバー部１１１の左側へ伝わる力Ｆｔａも徐々に大きくなっていく。図７（ｂ）に示すように、初期のねじれ状態からの撓み角度θ＝θ２となった状態で、力Ｆｔａが力Ｆｔａは反力Ｆｓと反力Ｆｂの合力と同等になる。このため、図７（ｃ）に示すように、ユーザが更に前カバー部１１１の左側を突当部１０７ｂに突き当たるまで押す間に、被係合部１０５ａは係合部１０６ａに乗り上げて係合部１０６ａに係合する。ユーザが開閉ドアＤを押すのをやめると、図６に示すように開閉ドアＤは被係合部１０５ａ、１０５ｂが係合部１０６ａ、１０６ｂに当接する位置まで戻り開閉ドアＤが閉じた状態で保持される。
【００４１】
なお、図５（ａ）と図６を比べるとわかるように、開閉ドアＤを前カバー部１１１の外装面に平行で且つ回動軸１１１ｒに直交する方向で見た時に、開閉ドアＤが開いた状態（図５（ａ））と、開閉ドアＤが閉じた状態（図６）とでは、開閉ドアＤの外装面の角度が異なる。
【００４２】
図１６（ｂ）に示すような従来の構成では、開閉ドア９０４を装置本体に突き当たるまで押しきった状態になっても、開閉ドア９０４の初期状態に対する撓み角度θを大きくとることができない。このため、ユーザの押圧力Ｆｕのうち開閉ドア９０４の右側から開閉ドア９０４を介して開閉ドア９０４の左側へ伝わる力が反力Ｆｓを上回ることができず被係合部９０５ａが係合部９０６ａに係合することができず、片閉まり状態となってしまう。
【００４３】
これに対して本実施形態では、前カバー部１１１が初期状態で仮想線１１３に対して角度ｇだけねじれた状態となっている。このため、ユーザが前カバー部１１１の右側を力Ｆｕで押す過程で、前カバー部１１１の初期状態からの撓み角度θを従来構成よりも大きくすることができる。従って、ユーザの押圧力Ｆｕのうち前カバー部１１１の右側から前カバー部１１１を介して前カバー部１１１の左側へ伝わる力Ｆｔａが、反力の合力（Ｆｓ＋Ｆａ）を上回るような撓み角度θ＝θ２まで前カバー部１１１に撓みを発生させることができる。なお、本実施形態では、被係合部１０５ｂが係合部１０６ｂに乗り上げて係合部１０６ｂに係合した後、ユーザが更に前カバー部１１１の左側を突当部１０７ｂに突き当たるまで押す間に、被係合部１０５ａは係合部１０６ａに乗り上げて係合部１０６ａに係合する構成だった。しかし、これに限定されない。つまり、被係合部１０５ｂが係合部１０６ｂに乗り上げて係合部１０６ｂに係合する前に、被係合部１０５ａが係合部１０６ａに乗り上げて係合部１０６ａに係合する構成であってもよい。
【００４４】
ところで、前カバー部１１１の初期のねじれ角ｇを大きくし過ぎてしまうと、反力が強い側（左側）だけを押した場合に片閉まりが発生してしまう。そこで、初期のねじれ角ｇは以下の条件を満たすように設定されることが望ましい。
閉じる際に前カバー部１１１の左側にかかる反力をＦｌ、右側にかかる反力をＦｒとする。また、図５（ｂ）に示すような前カバー部１１１の左側が装置本体に近づくような初期状態からの撓み角をθ１（矢印の方向を正）、図７（ｂ）に示すような前カバー部１１１の右側が装置本体に近づくような初期状態からの撓み角をθ２（矢印方向を正）とする。
【００４５】
更に、前カバー部１１１が初期状態から撓み角θだけ撓んだ状態において、前カバー部１１１の一方側を閉じ方向に押す力のうち前カバー部１１１を介して前カバー部１１１の他方側に伝達される伝達力をＦｔ（θ）とする。例えば、右側から左側へ伝達される場合はＦｔ（θ、Ｌ）と表す。なお、伝達力Ｆｔは、初期状態からの撓み量に依存するものであり、撓む向きがθ１の正方向でも、θ２の正方向でも、その変形量によって決まる。
このとき、左側のみを閉じ方向に押された場合に片閉まりしない条件は、
Ｆｒ＜Ｆｔ（θ１、Ｒ）  ・・・（式１）
右側のみを閉じ方向に押された場合に片閉まりしない条件は、
Ｆｌ＜Ｆｔ（θ２、Ｌ）  ・・・（式２）
と表せる。
【００４６】
従って、式１、２を満たすような、θ１、θ２を得られるように、初期状態のねじれ角ｇを設定すればよい。
【００４７】
なお、本実施形態のように、ＦｌとＦｒに差がある場合、例えばＦｌ＞Ｆｒであれば、最小限必要な伝達力Ｆｔの関係は、
Ｆｔ（θ２、Ｌ）＞Ｆｔ（θ１、Ｒ）  ・・・（式３）
となる。また、伝達力Ｆｔは撓み角θが大きい程大きくなるので、θ１、θ２の関係は、θ２＞θ１  ・・・（式４）
となる。
【００４８】
以上説明したように、本実施形態では、前カバー部１１１を閉じる際に受ける反力が左右で差があるような構成において、開閉ドアＤが開いた状態で、反力が強い左側が反力の弱い右側よりも装置本体１０１に近くなるように、予めねじれた形状にした。このようにすることで、図５（ａ）に示すような、開閉ドアＤ（前カバー部１１１）が所定の開いた位置（初期状態）から開閉ドアＤを閉じることにより、被係合部１０５ａ、１０５ｂが、係合部１０６ａ、１０６ｂに係合するまでの距離Ｓａ、Ｓｂが、反力が強い側である左側が短く、反力が弱い側が長くなるようなる（つまりＳａ＜Ｓｂ）。このため、片閉まりが発生しやすい反力が弱い側（右側）だけをユーザが押した場合でも、前カバー部１１１の初期状態に対して、開閉ドアＤを閉じる際に、前カバー部１１１が反力を受けて撓む撓み角θを大きく稼ぐことができる。このため、被係合部１０５ａを係合部１０６ａに係合させることができ片閉まりを防ぐことができる。
【００４９】
また、本実施形態では、係合部１０６ａ、１０６ｂの配列方向が回動軸１１１ｒの方向に平行な方向である。このため、開閉ドアＤ（前カバー部１１１）が開いた初期状態において、開閉ドアＤを閉じる際の開閉ドアＤの移動方向（ユーザの力Ｆｕの方向）に関して、反力が強い側の被係合部１０５ａの方が、反力が弱い側の被係合部１０６ｂよりも下流側に位置するようになっている。このようにすることで、上述した被係合部１０５ａ、１０５ｂが、係合部１０６ａ、１０６ｂに係合するまでの距離Ｓａ、Ｓｂが、反力が強い側である左側が短く、反力が弱い側が長くなるようにすることができる。
【００５０】
なお、本実施形態では、開閉ドアＤを前カバー部１１１と上カバー部１１０の２部品で構成し、前カバー部１１１をねじった状態で上カバー部１１０に固定することにより、左右の被係合部が、対応する係合部に係合するまでの距離Ｓａ、Ｓｂに差をつけた。しかしながら、距離Ｓａ、Ｓｂに差をつける方法はこの方法に限定されない。つまり、予めモールド成形等によって、前カバー部１１１がねじれた形状と同じ形状の部品を用いれば、前カバー部１１１をねじることなく、開閉ドアＤを組み立てることができる。
【００５１】
また、被係合部１０５ａ、１０５ｂは前カバー部１１１に一体的に設けられていたが、上カバー部１１０に設けてもよい。
【００５２】
また、前カバー部１１１から突出して設けられた被係合部１０５ａ、１０５ｂの突出量を異ならせる、及び又は、係合部１０６ａ、１０６ｂの位置を開閉ドアＤの開閉方向にずらすことによっても、距離Ｓａ、Ｓｂに差をつけることが可能である。この構成については第２実施形態で詳しく説明する。
【００５３】
また、その他の形態として、距離Ｓａ＝距離Ｓｂであったとしても、装置本体１０１側の左右のガタ分の距離Ｐａ、Ｐｂを異ならせる構成であれば、本実施形態と同様の効果を得ることができる。つまり、反力の強い側のガタ分の距離Ｐａを反力の弱い側のガタ分の距離Ｐｂよりも短くしておけばよい。
【００５４】
このように、本発明は、距離Ｓａ＋Ｐａと距離Ｓｂ＋Ｐｂが、反力の強い側の距離を反力の弱い側の距離よりも短くなるようにしておくことによって、反力が弱い側だけを押した際の片閉まりを防止する効果を得ることができる。
【００５５】
しかしながら、ガタ分の距離Ｐａ、Ｐｂを大きくしてしまうと、開閉ドアＤを閉じた状態での開閉ドアＤのガタつきが大きくなってしまう。このため、ガタ分の距離Ｐａ、Ｐｂ自体をあまり大きくとることはできない。このため、ガタ分の距離Ｐａ、Ｐｂを異ならせるよりも、距離Ｓａ、Ｓｂを異ならせた方が、開閉ドアＤを閉じた状態での開閉ドアＤのガタつきを大きくすることなく片閉まりを防止することが可能となる。
【００５６】
このように、本実施形態によれば、ユーザが開閉ドアＤを閉じる際、開閉ドアＤの片側のみを押しても、片閉まり状態の発生を防止することができ、開閉ドアを閉める際のユーザビリティを良好にすることができる。
【００５７】
＜第２実施形態＞
次に、第２実施形態について説明する。第１実施形態では、図５（ａ）に示すように、係合部１０６ａ、１０６ｂの頂点を結ぶ線が、仮想線１１３と平行であるのに対して、第２実施形態では平行でない構成について説明する。その他の構成については、第１実施形態と同様の構成であり、同様の部分には同様の符号を付し説明は省略する。図８（ａ）〜（ｃ）、図９、図１０（ａ）、（ｂ）は、前カバー部２１１の上面側から見た開閉ドアＤの前カバー部２１１、及び、開閉ドアＤ付近の装置本体１０１の一部を示す断面図である。本実施形態では、回動軸１１１ｒと平行な仮想線２１３に対して、係合部２０６ａ、２０６ｂの頂点を結んだ線２１７は傾斜している。
【００５８】
図８（ａ）は、開閉ドアＤが所定の開き角で開いて止まっている状態を示している。つまり、前カバー部２１１の被係合部２０５ａ、２０５ｂが、装置本体１０１の係合部２０６ａ、２０６ｂに係合していない状態を示している。上述したように、前カバー部２１１は、回動軸２１１ｒと平行な仮想線１１３に対して、角度ｇだけ傾くようにねじれている。このため、前カバー部２１１の被係合部２０５ａが係合部２０６ａを乗り越えて係合部２０６ａに係合するまで移動する距離Ｓａと、前カバー部２１１の被係合部２０５ｂが係合部２０６ｂを乗り越えて係合部２０６ｂに係合するまで移動する距離Ｓｂの関係は、Ｓａ＜Ｓｂとなっている。なお、被係合部２０５ａ、２０５ｂは係合部２０６ａ、２０６ｂを乗り越えて係合した後、さらにガタ分の距離Ｐａ、Ｐｂ（Ｐａ＝Ｐｂ）だけ更に装置本体１０１側に移動可能になっている。このガタ分の距離Ｐａ、Ｐｂは、被係合部２０５ａ、２０５ｂと係合部２０６ａ、２０６ｂとの位置関係の公差や、その他、開閉ドアＤと装置本体１０１との位置関係の公差を考慮して所定距離設けられている。本実施形態では、被係合部２０５ａ、２０５ｂと係合部２０６ａ、２０６ｂとが係合した後も、係合部２０６ａ、２０６ｂに設けられた突当部２０７ａ、２０７ｂに前カバー部２１１が突き当たるまで、前カバー部２１１が更に移動可能となっている。この更なる移動の距離により距離Ｐａ、Ｐｂが決まる構成となっている。
【００５９】
また、係合部２０６ａ、２０６ｂは不図示のバネによって付勢されており、被係合部２０５ａ、２０５ｂが係合部２０６ａ、２０６ｂに乗り上げて係合させる際に、前カバー部２１１に反力（後述するＦａ、Ｆｂ）が作用する構成となっている。更に、開閉ドアＤの左側の部分は、レーザスキャナ４２に設けられた不図示のレーザシャッタを開閉したり、不図示のインターロックへの通電をＯＮ／ＯＦＦしたりする為の装置本体１０１内の部材を押圧する構成となっている。この為、開閉ドアＤを閉じる際及び閉じた状態で前カバー部２１１の左側の部分には反力Ｆｓ（図８（ｂ）参照）が作用する構成となっている。このため、開閉ドアＤを閉じるまでに、装置本体１０１側から開閉ドアＤにかかる反力は、左側の方が右側よりも大きい構成となっている。
【００６０】
次に、ユーザが前カバー部２１１の左側を押して開閉ドアＤを閉じようとした場合について説明する。図８（ｂ）、（ｃ）はユーザが開閉ドアＤの前カバー部２１１の左側を押圧した場合を示している。
【００６１】
ユーザが前カバー部２１１の左側をＦｕの力で押圧すると、図８（ｂ）に示すように、まず、被係合部２０５ａは、反力Ｆｓに打ち勝って係合部２０６ａを乗り越え、係合部２０６ａに係合する。この時点では、被係合部２０５ｂは、係合部２０６ｂより反力Ｆｂを受けることで係合部２０６ｂに係合していない。この状態から更に、前カバー部２１１を押し込むことで、前カバー部２１１が初期のねじれた状態を示す線２１４からの撓み角度θが増えていき、初期状態からの撓み角度θ＝θ１となる。この状態で、ユーザの押圧力Ｆｕのうち前カバー部２１１の左側から前カバー部２１１を介して前カバー部２１１の右側へ伝わる力Ｆｔｂが反力Ｆｂと同等となる。このため、前カバー部２１１を更に突当部２０７ａに突き当たるまで押し込むことで、図８（ｃ）に示すように被係合部２０５ｂは、係合部２０６ｂを乗り越え、係合部２０６ｂに係合する。
【００６２】
ユーザが開閉ドアＤを押すのをやめると、図９に示すように、開閉ドアＤは、反力Ｆｓ等の作用によって被係合部２０５ａ、２０５ｂが係合部２０６ａ、２０６ｂに当接する位置まで戻り、開閉ドアＤが閉じた状態で保持される。この時、前カバー部２１１は、反力Ｆｓ等の作用によって被係合部２０５ａ、２０５ｂが係合部２０６ａ、２０６ｂに押し付けられるので、初期のねじれが略直った状態となっている。
【００６３】
次に、ユーザが前カバー部２１１の右側を押して開閉ドアＤを閉じようとした場合について説明する。図１０（ａ）、（ｂ）はユーザが開閉ドアＤの前カバー部２１１の右側を押圧した場合を示している。
【００６４】
ユーザが前カバー部の右側をＦｕの力で押圧すると、まず左側の被係合部２０５ａが係合部２０６ａに当接する。これは、前カバー部２１１が仮想線１１３に対して角度ｇ分ねじれているからである。この状態では、前カバー部２１１は初期のねじれた状態からのねじれ角θ＝０である。このため、ユーザの押圧力Ｆｕのうち前カバー部２１１の右側から前カバー部２１１を介して前カバー部２１１の左側へ伝わる力Ｆｔａは反力Ｆｓと反力Ｆｂの合力を上回ることができない。このため被係合部２０５ａは係合部２０６ａを乗り上げて係合することができない。
【００６５】
更に、前カバー部２１１の左側をユーザが押すと、図１０（ａ）に示すように、被係合部２０５ｂは、係合部２０６ｂに乗り上げて係合部２０６ｂに係合する。また、前カバー部２１１の左側をユーザが押すに従って前カバー部２１１は初期のねじれた状態からの撓み角度θは大きくなっていく。これに伴いユーザの押圧力Ｆｕのうち前カバー部２１１の右側から前カバー部２１１を介して前カバー部２１１の左側へ伝わる力Ｆｔａも徐々に大きくなっていく。図１０（ａ）に示すように、初期のねじれ状態からの撓み角度θ＝θ２となった状態で、力Ｆｔａが力Ｆｔａは反力Ｆｓと反力Ｆｂの合力と同等になる。このため、図１０（ｂ）に示すように、ユーザが更に前カバー部２１１の左側を突当部２０７ｂに突き当たるまで押す間に、被係合部２０５ａは係合部２０６ａに乗り上げて係合部２０６ａに係合する。ユーザが開閉ドアＤを押すのをやめると、図９に示すように開閉ドアＤは被係合部２０５ａ、２０５ｂが係合部２０６ａ、２０６ｂに当接する位置まで戻り開閉ドアＤが閉じた状態で保持される。
【００６６】
以上説明したように、本実施形態では、前カバー部２１１を閉じる際に受ける反力が左右で差があるような構成において、開閉ドアＤが開いた状態で、反力が強い左側が反力の弱い右側よりも装置本体１０１に近くなるように、予めねじれた形状にした。このようにすることで、第１実施形態と同様に、前カバー部２１１が所定の開いた位置（初期状態）から、被係合部２０５ａ、２０５ｂが、係合部２０６ａ、２０６ｂに係合するまでの距離Ｓａ、Ｓｂが、反力が強い側である左側が短く、反力が弱い側が長くなるようなる（つまりＳａ＞Ｓｂ）。このため、片閉まりが発生しやすい反力が弱い側（右側）だけをユーザが押した場合でも、前カバー部２１１の初期状態に対する撓み角θを大きく稼ぐことができるので、被係合部２０５ａを係合部２０６ａに係合させることができ片閉まりを防ぐことができる。
【００６７】
このように、本実施形態によれば、ユーザが開閉ドアＤを閉じる際、開閉ドアＤの片側のみを押しても、片閉まり状態の発生を防止することができ、開閉ドアを閉める際のユーザビリティを良好にすることができる。
【００６８】
＜第３実施形態＞
次に、第３実施形態について説明する。本実施形態では第１実施形態で説明した上カバー部と前カバー部との位置決めを変えた構成について説明する。その他の構成については、第１実施形態と同様なので説明は省略する。
【００６９】
次に図１１〜１４を用いて、前カバー部３１１がねじれた状態の開閉ドアＤを組み立てる方法について説明する。図１１は前カバー部３１１の正面側から見た斜視図、図１２（ａ）、（ｂ）は上カバー部３１０と前カバー部３１１を組み合わせる前の状態を示す斜視図である。図１２（ａ）は正面側、（ｂ）は裏面側からみた図である。前カバー部３１１のボス３１１ａ、３１１ｂ、３１１ｃ、３１１ｄを上カバー部３１０の穴３１０ａ、３１０ｂ、３１０ｃ、３１０ｄに嵌合させることにより、上カバー部３１０と前カバー部３１１を組み合わせる構成となっている。なお、穴３１０ｄは回動軸は上カバー部３１０の長手方向に延びた長穴である。本発明では、上カバー部３１０と前カバー部３１１を組み合わせる前に、前カバー３１１の左右の部分を図１１の矢印Ｎ方向に押すことによって前カバー３１１をねじる。そして、このねじれた状態で上カバー部３１０を組み付けることで、ボス３１１ａ、３１１ｂ、３１１ｃ、３１１ｄと穴３１０ａ、３１０ｂ、３１０ｃ、３１０ｄとの嵌合により、前カバー部３１１がねじれた状態で維持される。これは、開閉ドアＤを開いた状態では、矢印Ｎ方向のねじれに対する剛性が、前カバー部３１１よりも上カバー部３１０の方が強くなるよう、前カバー部３１１と上カバー３１０とを構成しているからである。
【００７０】
さらに詳しく説明する。図１３は前カバー部３１１の上面図であり、（ａ）はねじれる前の状態、（ｂ）はねじれた状態を示す。図１４は上カバー部３１０の上面図である。なお、図３（ｂ）では簡単の為、ねじれた状態を強調して描いている。ねじれることによって前カバー部３１１は上面が変形することになる。つまり、ねじれる前の上面が回動軸３１１ｒと平行な仮想線３０９に平行な長方形だとすると、ねじれた状態では仮想線３０９に対して角度ｇ傾いた平行四辺形のような形状になる。このため、ボス３１１ａ、３１１ｂ、３１１ｃの相対位置関係は、ねじれる前の状態と、ねじれた状態とでは異なる。そして、上カバー部３１０の穴３１０ａ、３１０ｂ、３１０ｃの相対位置関係は、ねじれた状態の前カバー部３１１のボス３１１ａ、３１１ｂ、３１１ｃの相対位置関係を一致する構成となっている。このため、ねじれた状態の前カバー部３１１のボス３１１ａ、３１１ｂ、３１１ｃに、上カバー部３１０の穴３１０ａ、３１０ｂ、３１０ｃが嵌合し、前カバー部３１１のねじれた状態が維持されることになる。なお、仮想線３０９に対して上カバー部３１０は角度ｇ斜めに傾けた状態で、穴３１０ａ、３１０ｂ、３１０ｃがボス３１１ａ、３１１ｂ、３１１ｃに嵌合するようになっている。以上説明した構成によって、第１実施形態と同様に前カバー部３１１をねじれた状態で開閉ドアＤを組むことができる。
【００７１】
このように、本実施形態によれば、ユーザが開閉ドアＤを閉じる際、開閉ドアＤの片側のみを押しても、片閉まり状態の発生を防止することができ、開閉ドアを閉める際のユーザビリティを良好にすることができる。
【００７２】
なお、上述した第１、第２、第３実施形態は開閉ドアＤを閉じる際に受ける反力が左右（開閉ドアＤの回転軸方向の両側）で差があるような構成を前提とするものである。しかしながら、この前提が成立する構成は、開閉ドアＤの回転軸方向に関して片側にのみ被押圧部（被押圧部材１２０）がある構成に限定されるわけではない。つまり、装置本体の開閉ドアＤの回転軸方向に関して両側にそれぞれ被押圧部が設けられていてもよく、この場合、両側の被押圧部がそれぞれバネ等の弾性部材から付勢力を受けて開閉ドアＤを開く方向に付勢する力が異なってさえいればよい。このような構成であれば、結果的に開閉ドアＤを閉じる際に受ける反力が開閉ドアＤの回転軸方向両側で差がある構成となるので、上述した前提が成立し、上述した第１、第２、第３の実施形態の技術思想を適用することができる。
【符号の説明】
【００７３】
Ｄ  開閉ドア
１１０  上カバー部
１１１  前カバー部
１１１ｒ  回動軸
１０５ａ、１０５ｂ  被係合部
１０６ａ、１０６ｂ  係合部
【図１】
2013242535.tif 000003
【図２】
2013242535.tif 000004
【図３】
2013242535.tif 000005
【図４】
2013242535.tif 000006
【図５】
2013242535.tif 000007
【図６】
2013242535.tif 000008
【図７】
2013242535.tif 000009
【図８】
2013242535.tif 000010
【図９】
2013242535.tif 000011
【図１０】
2013242535.tif 000012
【図１１】
2013242535.tif 000013
【図１２】
2013242535.tif 000014
【図１３】
2013242535.tif 000015
【図１４】
2013242535.tif 000016
【図１５】
2013242535.tif 000017
【図１６】
2013242535.tif 000018
【図１７】
2013242535.tif 000019